(57)【要約】電気泳動ディスプレイは、上部電極（６）と下部電極（５、５´）との間に挟まれている電気泳動材料（８、９）を有する画素（１８）のマトリクスを有する。アドレッシング回路（１６、１０）は、上部電極（６）と下部電極（５、５´）との間に駆動電圧（ＶＤ）を印加することにより画像更新期間（ＩＵＰ）中、画素（１８）をアドレス指定する。駆動電圧（ＶＤ）は電気泳動ディスプレイにおいて表示される画像に従ったレベルを有する。制御器（１５）は、下部電極（５、５´）に平行な面内に実質的に方向付けられている電界（ＬＦ）を得るために隣接画素（１８）の下部電極（５、５´）間に一連のＡＣパルス（ＡＣＰ）を供給するようにアドレッシング回路（１６、１０）を制御する。
2006525546.tif 000002
【特許請求の範囲】
【請求項１】
電気泳動ディスプレイであって：
第１電極と第２電極との間に挟まれた電気泳動材料を有する画素；
前記第１電極と前記第２電極との間に駆動電圧を印加することにより画像更新期間中、少なくとも１つの画素をアドレス指定するためのアドレッシング回路であって、前記駆動電圧は電気泳動ディスプレイにおいて表示される画像に従ったレベルを有する、アドレッシング回路；並びに
前記第２電極に対して平行な面内に実質的に方向付けられている電界を得るために隣接画素の前記第２電極における隣接第２電極間に一連のＡＣパルスを供給するために前記アドレッシング回路を制御するための制御器；
を有することを特徴とする電気泳動ディスプレイ。
【請求項２】
請求項１に記載の電気泳動ディスプレイであって、前記制御器は、前記画像更新期間の連続画像更新期間の間に前記の一連のＡＣパルスを供給するために前記アドレッシング回路を制御するために備えられている、ことを特徴とする電気泳動ディスプレイ。
【請求項３】
請求項１に記載の電気泳動ディスプレイであって、前記の一連のＡＣパルスの各々のパルスの持続時間は、一の制限状態から他の制限状態に前記画素の光学的状態を変化させるために必要な期間より実質的に短い、ことを特徴とする電気泳動ディスプレイ。
【請求項４】
請求項１に記載の電気泳動ディスプレイであって、前記制御器は、連続画像更新期間の全ての対の間に前記の一連のＡＣパルスを供給するために前記アドレッシング回路を制御するように備えられている、ことを特徴とする電気泳動ディスプレイ。
【請求項５】
請求項１に記載の電気泳動ディスプレイであって、前記制御器は、全ての所定数の画像更新期間毎に１回、前記の一連のＡＣパルスを供給するために前記アドレッシング回路を制御するように備えられていて、前記所定数は１より大きい数である、ことを特徴とする電気泳動ディスプレイ。
【請求項６】
請求項１に記載の電気泳動ディスプレイであって、前記制御器は、全ての所定期間の後に１回又は前記電気泳動ディスプレイの起動時のみに、前記の一連のＡＣパルスを供給するために前記アドレッシング回路を制御するように備えられている、ことを特徴とする電気泳動ディスプレイ。
【請求項７】
請求項１に記載の電気泳動ディスプレイであって、前記制御器は、画像がブロックエッジアーティファクトの影響を受けるときのみに、前記の一連のＡＣパルスを供給するために前記アドレッシング回路を制御するように備えられている、ことを特徴とする電気泳動ディスプレイ。
【請求項８】
請求項１に記載の電気泳動ディスプレイであって、前記制御器は、ブロックエッジアーティファクトの影響を受ける画素のみに対して、前記の一連のＡＣパルスを供給するために前記アドレッシング回路を制御するように備えられている、ことを特徴とする電気泳動ディスプレイ。
【請求項９】
請求項１に記載の電気泳動ディスプレイであって、前記アドレッシング回路は、一定の振幅を有する前記の一連のＡＣパルスを供給するように備えられている、ことを特徴とする電気泳動ディスプレイ。
【請求項１０】
請求項１に記載の電気泳動ディスプレイであって、前記アドレッシング回路は、時間の経過に伴い、減少する振幅又は減少するパルス幅を有する前記の一連のＡＣパルスを供給するように備えられている、ことを特徴とする電気泳動ディスプレイ。
【請求項１１】
請求項１に記載の電気泳動ディスプレイであって、前記アドレッシング回路は、ＤＣオフセットを有する一連のＡＣパルスを供給するように備えられている、ことを特徴とする電気泳動ディスプレイ。
【請求項１２】
請求項１に記載の電気泳動ディスプレイであって、前記制御器は、隣接列における画素全てに対して連続して前記の一連のＡＣパルスを供給するように前記アドレッシング回路を制御するように備えられている、ことを特徴とする電気泳動ディスプレイ。
【請求項１３】
請求項１に記載の電気泳動ディスプレイであって、前記制御器は、隣接行における画素全てに対して連続して前記の一連のＡＣパルスを供給するように前記アドレッシング回路を制御するように備えられている、ことを特徴とする電気泳動ディスプレイ。
【請求項１４】
請求項１２又は１３に記載の電気泳動ディスプレイであって、前記制御器は、隣接列における画素全て及び隣接行における画素全ての両方に対して連続して前記の一連のＡＣパルスを供給するように前記アドレッシング回路を制御するように備えられている、ことを特徴とする電気泳動ディスプレイ。
【請求項１５】
請求項１乃至１４の何れ一項に記載の電気泳動ディスプレイを有することを特徴とする表示機器。
【請求項１６】
第１電極と第２電極との間に挟まれている電気泳動材料を有する画素を有する電気泳動ディスプレイをアドレス指定するための方法であって：
前記第１電極と前記第２電極との間に駆動電圧を印加することにより、画像更新期間中、前記画素をアドレス指定する段階であって、前記駆動電圧はを前記電気泳動ディスプレイにおいて表示される画像に従ったレベルを有する、段階；並びに
前記第２電極に対して平行である面内に実質的に方向付けられている電界を得るために、隣接画素の前記第２電極間に一連のＡＣパルスを供給するように前記アドレッシング回路を制御する段階；
を有することを特徴とする方法。
【発明の詳細な説明】
【技術分野】
【０００１】
本発明は、電気泳動ディスプレイ、電気泳動ディスプレイを有する表示機器及び電気泳動ディスプレイをアドレス指定する方法に関する。
【０００２】
この種類の表示装置は、例えば、モニタ、ラップトップコンピュータ、携帯情報端末（ＰＤＡ）、携帯電話、電子ブック、電子新聞、電子雑誌等において使用される。
【背景技術】
【０００３】
冒頭の段落に挙げた種類の表示装置については、特許文献、国際公開第９９／５３３７３号パンフレットに記載されている。この特許文献において、２つの基板を有する電子インクディスプレイであって、それらの基板の一は透明であり、他の基板は行列状に配列された電極を備えている、電子インクディスプレイについて開示されている。表示要素又は画素は行及び列電極間の交差部分に関連している。各々の表示要素は薄膜トランジスタ（ＴＦＴ:Ｔｈｉｎ  Ｆｉｌｍ  Ｔｒａｎｓｉｓｔｏｒ）の主電極により列電極に結合されている。ＴＦＴのゲートは行電極に結合されている。このような、表示要素、ＴＦＴ並びに行及び列電極の構成は、アクティブマトリクス表示装置を協働して構成する。
【０００４】
各々の画素は、列電極にＴＦＴを介して接続される画素の電極である画素電極を有する。画像更新又は画像リフレッシュ期間中、行ドライバは、１つずつ表示要素の行全てを選択するように制御され、列ドライバは、ＴＦＴ及び列電極により表示要素の選択された行に対して同時にデータ信号を供給するように制御される。
【０００５】
更に、電子インクは、画素電極と透明基板において備えられている共通電極との間に備えられている。電子インクは、それ故、共通電極と画素電極との間に挟まれている。電子インクは、約１０乃至５０μｍの複数のマイクロカプセルを有する。各々のマイクロカプセルは、流体中に懸濁された正に帯電した白色粒子及び負に帯電した黒色粒子を有する。正電界が画素電極に印加されるとき、白色粒子は透明基板の方に方向付けられたマクロカプセルの側に移動し、表示要素はビューアに対して視認可能になる。同時に、黒色粒子は、それらがビューアに対して隠されているマイクロカプセルの反対側の画素電極に移動する。画素電極に負電界を印加することにより、黒色粒子は、透明基板の方に方向付けられたマイクロカプセルの側の共通電極に移動し、表示要素はビューアには暗く見える。電界が取り除かれるとき、表示装置は取得された状態のまま維持され、双安定特性を示す。このような、黒色粒子及び白色粒子を有する電子インクは、電子ブックとして特に有用である。
【０００６】
階調は、マイクロカプセル群の先端における共通電極の方に移動する粒子量を制御することにより表示装置において生成することができる。例えば、電界強度と印加時間との積として定義される、正電界又は負電界のエネルギーは、マイクロカプセル群の先端に移動する粒子量を制御する。
【０００７】
既知の表示装置においては、所謂、画像残像が現れる。画像が変わった後、前の画像の静止残像が見える。
【発明の開示】
【発明が解決しようとする課題】
【０００８】
本発明の目的は、ブロックエッジ画像残像を低減することである。
【課題を解決するための手段】
【０００９】
本発明の第１の特徴により、請求項１に記載している電気泳動ディスプレイを提供する。本発明の第２の特徴により、請求項１５に記載している表示機器を提供する。本発明の第３の特徴により、請求項１６に記載している電気泳動ディスプレイをアドレス指定する方法を提供する。有利な実施形態については従属請求項に記載している。
【００１０】
アクティブマトリクス電子インクディスプレイ（又は、Ｅインクディスプレイという）に関する最近の実験において、ブロックエッジ画像残像と言われる特殊な種類の画像残像が観察された。ブロックエッジ画像残像については、ディスプレイが白色フィールド内に黒色ブロックを示す、下記の例に関して明らかにする。画像が単純な灰色又は白色画像に変化した後、一部の黒色／灰色のストライプが、黒色ブロックから白色ブロックへの変化が現れた位置に現れる。それらのラインにおいて又はそれらの周りにおいて、明らかな輝度低下が存在する。これは、特に厄介であり、ブロック全体が意図されたものより幾分明るく又は暗くなる、通常領域の画像残像に比べて視認性が高い。このようなブロックエッジ画像残像を、Ｅインクディスプレイにおける画像残像または画像履歴を消去するために提案された一般的な既知の方法により、除去することはできない。そのような一般的に提案された方法においては、上部（共通）電極及び下部（画素）電極を用いて、ディスプレイ全体が黒色及び白色に繰り返してリセットされる。
【００１１】
連続する画像更新期間の間で、一連のＡＣパルスが下部電極の面において電界を生成するために隣接画素の下部電極間に印加される場合、ブロックエッジ画像残像が低減するようになった。
【００１２】
更に一般に、この方法は、電気泳動材料が２つの電極間に存在する電気泳動ディスプレイにおいてブロックエッジ画像残像を低減させる。電気泳動ディスプレイにおいて表示される画像は、上部電極と下部電極との間に通常存在する、それら２つの電極間に印加される電圧に依存する。ブロックエッジ画像残像は、隣接上部電極間又は隣接下部電極間にＡＣパルスを印加することにより低減され、それ故、上部電極か又は下部電極のどちらかに平行な平面内に実質的に方向付けられている電界が生じる。この電界は又、横電界と呼ばれている。
【００１３】
上部電極及び下部電極の両方がセグメント化される場合、上部電極及び下部電極の両方に対してＡＣパルスを供給することが又、可能である。
【００１４】
２つの隣接画素が反対方式でスイッチングされる場合に、ブロックエッジ画像残像が生じるものと考えられる。例えば、１つの下部電極が白色画素を得るために正電位を受ける一方、隣接画素の隣接下部電極は黒色画素を得るために負電位を受ける。大きい横電界が、それらの隣接下部電極間に、それ故、それらの下部電極に関連する２つの画素ボリューム間に生じる。このような横電界のために、一部の粒子は横方向に移動する。それらの隣接下部電極間の間隔は上部電極と下部電極との間の距離より小さいため、その横電界は上部電極と下部電極との間の意図された駆動電界より著しく大きい。結果的に、一部の粒子はその画素ボリュームの側面に付く。それらの粒子は、上部電極と下部電極との間に印加される電圧パルスは縦方向にのみ粒子を移動させることができるため、次の画像更新中、その側面から取り除かれることはない。それらの付いた粒子は、結果的に、ブロックエッジ画像残像をもたらす。
【００１５】
それらの粒子は、隣接画素間にＡＣ横電界を印加することによりそれらのトラップされた位置から移動するようになる。
【００１６】
請求項２に記載している本発明に従った実施形態においては、一連のＡＣパルスの各々の一のパルスの持続時間は、１つの限界状態（例えば、黒色及び白色粒子が用いられる場合の黒色又は白色）から他の限界状態に光学状態を変化させるために必要な期間より実質的に短い。粒子移動は局所的にのみ起こり、可視的にならない。パルスの振幅は、より高速度及び／又は高効率を得る場合と同じ位に大きくする必要がある。
【００１７】
請求項３に記載の、本発明に従った実施形態においては、一連のＡＣパルスが、連続する画像更新期間の全ての対の間に供給される。このようにして、ブロックエッジ画像残像の低減が最適化される。しかしながら、請求項４及び５に記載しているように、一連のＡＣパルスが頻度低く印加される場合、ブロックエッジ画像残像は又、低減される。これは電力を節約し、水平方向電圧パルスが供給されないそれらの画像更新に対して画像リフレッシュ時間を高速化する。必要に応じてのみ、一連のＡＣパルスを印加すること、及び画像がブロックエッジ画像残像の影響を受けるかどうかについて表示される画像シーケンスにおいて検出することさえ可能である。
【００１８】
請求項６に記載している本発明に従った実施形態においては、一連のＡＣパルスは一定の振幅を有する。その一定の振幅は既存のドライバを用いて生成することが容易である。
【００１９】
請求項７に記載している本発明に従った実施形態においては、一連のＡＣパルスにおけるパルスの振幅は時間の経過と共に減少する。粒子反応はパルスシーケンスの初期段階においてより遅いことが実験的に観測された。それ故、ＡＣパルスの印加についての視認性を低く維持するために、初期的には、より小さいエネルギーのパルスがより大きいエネルギーのパルスの後に続くことが好ましい。代替として、又は組み合わせて、一連のＡＣパルスにおけるパルスのパルス幅を変えることが可能である。
【００２０】
請求項８に記載している、本発明に従った実施形態においては、ＤＣオフセットが一連のＡＣパルスに適用される。（比較的小さい）ＤＣオフセットは、画素の駆動におけるビルトインＤＣレベルを補償する。
【００２１】
請求項９、１０又は１１に記載している本発明に従った実施形態においては、一連のＡＣパルスは、垂直方向のラインに対するブロックエッジ画像残像アーティファクトを低減するために全ての列に対して、水平方向のラインに対するブロックエッジ画像残像を低減するために全ての行に対して、又は両方の方向に対するブロックエッジ画像残像を低減するために列及び行の両方に対してそれぞれ、連続して隣接画素に印加される。
【００２２】
各請求項の特徴を組み合わせることが可能である。
【００２３】
本発明の上記の及び他の特徴については、以下、詳述する実施形態を参照することにより明確になり、理解されることであろう。
【発明を実施するための最良の形態】
【００２４】
図１は、例えば、幾つかの表示要素のサイズの電気泳動ディスプレイであって、ベース基板２と、透明な画素電極５、５´間にある電子インクを有する電気泳動薄膜と、透明な対向電極６とを有する電気泳動ディスプレイの一部の断面図である。電子インクは、約１０乃至５０μｍの複数のマイクロカプセルを有する。各々のマイクロカプセル７は、流体１０中に懸濁された正に帯電した白色粒子８及び負に帯電した黒色粒子９である。正の画素電圧ＶＤが対向電極６に対して画素電極５、５´に印加されるとき、対向電極６の方に方向付けられたマイクロカプセル７側に白色粒子８を移動させる電界が生成され、表示要素はビューアに対して白色に現れる。同時に、黒色粒子９は、ビューアに対して隠されているマイクロカプセル７の反対側に移動する。画素電極５、５´と対向電極６との間に負の画素電圧を印加することにより、黒色粒子９は対向電極６の方に方向付けられたマイクロカプセル７側に移動し、表示要素はビューアに対して暗く現れる（図示せず）。電界が取り除かれるとき、粒子７はもたらされた状態において維持され、ディスプレイは双安定特性を示し、実質的に電力を消費しない。アクティブスイッチング要素１９（通常は、ＴＦＴ）がベース基板において備えられている。
【００２５】
図１に示しているディスプレイにおいては、理想的な粒子分布が示されている。それらの粒子の位置は、画素電極５、５´と対向電極６との間の電界により決定される。画素寸法は画素電極５、５´により決定されていて、マイクロカプセル７と位置合わせされる必要はない。対応する画素電極５の実質的に上にあるマイクロカプセル７のボリュームに関連付けられている最も左の画素Ｐ１は白色である必要があり、隣接画素の電極５´に関連付けられている隣接画素Ｐ２は黒色である必要があり、それ故、画素電極５における電圧は正である必要があり、画素電極５´における電圧は負である必要がある。画素電極５、５´間の電圧差は、画素電極５、５´間における大きい電界ＬＦをもたらす。この電界ＬＦは、実質的に横方向（画素電極５、５´の平面内）に方向付けられる又は少なくとも、横方向における実質的成分を有する。横電界ＬＦは、画素Ｐ２の少数の負に帯電した黒色粒子９が隣接画素Ｐ１（図示せず）の正の画素電極５に引き寄せされるようにする。そして、同様に、横電界ＬＦは、画素Ｐ１の少数の正に帯電した白色粒子８が隣接画素Ｐ２の負の画素電極５´に引き寄せされるようにする。
【００２６】
図２は、ブロックエッジ画像残像アーティファクトについて明らかにするものである。図２Ａは、黒色ブロックの周りの白色領域を有する画像を示している。図２Ｂは、図２Ａに示した画像の直後に完全に白色の画像が表示される場合の結果として生じた画像を示している。結果として得られたピクチャは、前の画像の黒色ブロックのエッジにおいて灰色の線で示される。
【００２７】
図３は、電気泳動ディスプレイの一部の等価回路図によりピクチャ表示機器の図を示している。ピクチャ表示装置１は、アクティブスイッチング要素１９備えているベース基板２において形成された電気泳動薄膜と、行ドライバ１６と、列ドライバ１０とを有する。肯定には、対向電極６は、カプセル化された電気泳動インクを有する薄膜において備えられる。通常、アクティブスイッチング要素１９は薄膜トランジスタＴＦＴである。表示装置１は、行又は選択電極１７と列又はデータ電極１１との交差部分に関連付けられる表示要素のマトリクスを有する。行ドライバ１６は行電極１７を連続して選択する一方、列ドライバ１０は、列電極１１に対して平行にそれらの選択された行電極１７のためにデータ信号を供給する。好適には、処理器１５は、先ず、列電極１１により供給されるデータ信号への入力データ１３を処理する。
【００２８】
駆動ライン１２は、列ドライバ１０と行ドライバ１６との間の相互同期を制御する信号を搬送する。
【００２９】
行ドライバ１０は、関連ＴＦＴ１９の低インピーダンスの主電流経路を得るために特定の行電極１７に接続されたＴＦＴ１９のゲートに適切な選択パルスを供給する。他の行電極１７に接続されたＴＦＴ１９のゲートは、それらの主電流経路が高インピーダンスを有するような電圧を受ける。ＴＦＴのドレイン電極とソース電極との間の低インピーダンスは、列電極１１に存在するデータ電圧が、画素１８の画素電極２２に接続されているドレイン電極に対して供給されるようにすることが可能である。このように、列電極１１に存在するデータ信号は、ＴＦＴがそのゲートにおける適切なレベルにより選択される場合、ＴＦＴのドレイン電極に結合された画素又は表示要素１８の画素電極２２に転送される。図３に示す実施形態においては、図１の表示装置は又、各々の表示要素１８の位置において付加容量２３を有する。この付加容量２３は、画素電極２２と１つ又はそれ以上の蓄積容量ライン２４との間に接続されている。ＴＦＴに代えて、例えば、ダイオード、ＭＩＭ等の他のスイッチング要素を用いることができる。電気泳動媒体自体については、例えば、米国特許第６，１２０，８３９号明細書及び米国特許第６，１３０，７７４号明細書に記載されていて、Ｅ−ｉｎｋ社製のものが入手可能である。
【００３０】
図４は、本発明の実施形態に従った電気泳動ディスプレイの駆動信号を示している。図４Ａは、行電極１７の特定の一における選択電圧Ｖｓｅｌを示している。図４Ｂは、列電極１１の特定の一におけるデータ電圧Ｖｄａを示している。図４Ｃは、本発明の実施形態に従ったＡＣパルスを示している。
【００３１】
時点ｔ０において、画像更新期間ＩＵＰが開始する。通常、第１行電極１７は、選択信号Ｖｓｅｌの正のパルスにより電圧印加される一方、同時に、データ信号Ｖｄａが列電極１１全てに印加される。複数のデータ信号Ｖｄａが十字形で示されている。通常、データ信号Ｖｄは、行電極１７のライン選択時間ＴＬ間に各々のデータ電極１１に対して１つずつ、同時に供給される。ライン選択期間ＴＬが経過した後、次の行電極１７が時点ｔ１において選択され、画素１８のこの行に対するデータ信号Ｖｄａが同時に供給され、など等である。ある時間であって、例えば、フィールド期間又はフレーム期間ＴＦであり、通常、１６．７ｍｓｅｃ又は２０ｍｓｅｃ経過後、行電極１７全てが選択され、特定の行電極１７は、この特定の行に対する選択信号Ｖｓｅｌにおいてパルスにより時点ｔ２において再び電圧印加される一方、同時に、データ信号Ｖｄが列電極１１に供給される。又、ライン選択期間ＴＬが経過した後、次の行電極が時点ｔ３において選択される。全体の処理は時点ｔ４において開始するようにして繰り返され、フレーム数により、ディスプレイは、画像更新期間ＩＵＰ中、アドレス指定される必要がある。
【００３２】
表示装置の双安定特性のために、電気泳動粒子はそれらの選択された状態において維持され、データ信号の反復は、所望の階調レベルが得られたとき、画像更新期間ＩＵＰの幾つかのフレーム期間ＴＦの後、停止されることとなる。図４に示す例においては、画像更新期間ＩＵＰは、３つのフレーム期間ＴＦを有し、それ故、第１画像更新期間ＩＵＰはｔ０からｔ６まで続く。次いで、ディスプレイの状態が、時点ｔ６からｔ１００まで続く維持期間ＨＰ中、与えられる。次の画像更新期間ＩＵＰは時点ｔ１００からｔ１０６まで続く。
【００３３】
上記において、従来の電気泳動ディスプレイの駆動について記載した。本発明は、維持期間ＨＰ中、ＡＣパルスＡＣＰを付加する方に方向付けられた。それらのＡＣパルスは上部電極６と下部電極５、５´との間には印加されないが、実質的に横電界ＬＦを得るために隣接する底部電極５、５´間に印加される。上部電極６がセグメント化される（図示せず）場合、隣接する上部電極６間にＡＣパルスを印加することが可能である。しかしながら、上記のスイッチ１９を用いることができるため、下部電極５、５´間にＡＣパスルを印加することはより容易である。ＡＣパルスは、パルス期間ＬＦＧＰ中、存在する。
【００３４】
電気泳動ディスプレイが維持期間を伴わずに駆動される場合、２つの画像更新期間ＩＵＰの間において、ＡＣパルスＡＣＰを挿入するための時間を自由に設けることができる。
【００３５】
図５は、本発明の実施形態に従った一連のＡＣパルスを示している。この実施形態において、ＡＣパルスは可変振幅を有する。初期的には、より大きい振幅が適用される。パルスシーケンスの初期段階において、粒子反応がより遅いことが実験的に観測された。それ故、それらのパルスの視認性を最小化するために、小さいエネルギーのパルスが大きいエネルギーのパルスの後に続くようにすることが好ましい。パルスシーケンスの初期段階においてパルスがより大きいエネルギーを有するように、パルスのデューティサイクルを制御することが又、可能である。
【００３６】
図６は、本発明の実施形態に従った一連のＡＣパルスを示している。この実施形態においては、ＤＣバイアスＤＣＢを有するＡＣパルスが、図６に模式的に示しているように、用いられる。例えば、白色から黒色に画素を駆動するために用いられることに比べて、黒色から白色に画素を駆動するためにより長い期間が用いられる場合に導入されることが可能であるように、ＤＣバイアスＤＣＢが、駆動中、ＤＣ効果を補償するために必要とされる。
【００３７】
ブロックエッジ画像残像を低減する実際の方法においては、ＡＣパルスＡＣＰは、垂直ブロックエッジ画像残像を低減するために隣接列における画素全てに連続して印加される。隣接行における画素全てにＡＣパルスＡＣＰを印加することにより、水平方向ブロックエッジ画像残像を低減することができる。それらの２つの方法を結合させて、先ず、隣接列における画素全てに対して連続してＡＣパルスＡＣＰを印加し、次いで、隣接行における画素全てに対して印加することが可能であり、その逆も可能である。ＡＣパルスＡＣＰが供給される必要がある画素の選択は、アクティブマトリクスディスプレイのスイッチ１９により容易に実行されることができる。更に拡張された実施形態においては、ＡＣパルスＡＣＰが、ディスプレイにおいて伸びている対角線方向のラインの画素に適用される。
【００３８】
横電界ＬＦを生成するＡＣパルスＡＣＰを、生成するＡＣパルスＡＣＰが続く画像全ての書き込みの間に印加することが可能である一方、断続的にＡＣパルスＡＣＰを印加することが可能である。例えば、１０個の画像更新毎に、１時間毎に、又は毎回、ディスプレイが電圧印加される。これは電力を節約し、又、ＡＣパルスが印加されない画像更新に対して画像リフレッシュ時間を高速化することができる。更に、必要に応じてのみ、一連のＡＣパルスを印加すること、及び画像がブロックエッジ画像残像の影響を受けるかどうかについて表示される画像シーケンスにおいて検出すること、又は、代替として、ブロックエッジ画像残像の影響を更に受ける画素に対してのみより頻繁にパルスを印加することさえ可能である。両方の状態において、横電界を印加するために必要な時間を最小化することができる。そのような検出器は、ブロックエッジ画像残像を生じ得る遷移を検出すること及び２つの連続する画像を比較することを可能にするために、メモリを有することが可能である。隣接画素電極５、５´に電圧印加することによりいずれの隣接画素１８間に横パルスを供給することができるため、ブロックエッジ画像残像が起こることが予測される隣接画素１８にのみ電圧印加することが可能である。
【００３９】
上記の実施形態は本発明を制限するのではなく、例示するものであり、当業者は同時提出の特許請求の範囲の範囲から逸脱することなく多くの代替の実施形態を設計することができることに留意する必要がある。例えば、上記の実施形態において、ＡＣパルスは画像更新期間の連続する期間の間に位置付けられる一方、画像更新期間内にＡＣパルスを組み込むことが又、可能である。
【００４０】
表現“を有する”は、請求項において挙げている要素又は段階以外の要素又は段階を排除することを意味するものではない。本発明について、幾つかの個別の要素を有するハードウェアにより、及び適切にプログラムされたコンピュータにより実施することができる。幾つかの手段を列挙している装置請求項において、それらの手段を、ハードウェアの全く同じアイテムにより具現化することができる。
【図面の簡単な説明】
【００４１】
【図１】電気泳動ディスプレイの一部の断面を示す図である。
【図２】ブロックエッジ画像残像アーティファクトについて示す図である。
【図３】電気泳動ディスプレイの一部の等価回路によりピクチャ表示機器を示す図である。
【図４】本発明の実施形態に従った電気泳動ディスプレイの駆動信号を示す図である。
【図５】本発明の実施形態に従った一連のＡＣパルスを示す図である。
【図６】本発明の実施形態に従った一連のＡＣパルスを示す図である。
【図１】
2006525546.tif 000003
2006525546.tif 000004
【図３】
2006525546.tif 000005
2006525546.tif 000006
【図５】
2006525546.tif 000007
【図６】
2006525546.tif 000008
【国際調査報告】
2006525546.tif 000009
2006525546.tif 000010
2006525546.tif 000011